(57)【要約】【課題】新たな機種への変更時のコストダウンを効果的に行う。【解決手段】遊技盤ユニットを、遊技盤４、遊技領域規制枠ユニット及び制御回路ユニット１７から構成する。遊技盤４にはＬＣＤユニット４０が着脱自在に組み付けられる他に、パチンコ機の主制御を行うメインプログラム等が記憶されたプログラムＲＯＭの４７他に、ＬＣＤパネルユニット４０で表示する画像データ等が記憶されたデータＲＯＭ４８が組み付けられた回路基板４９が組み付けられる。パチンコ機の機種替えの際には、遊技盤ユニットを本体枠から取り外した後に、遊技盤ユニットを分解し遊技盤４のみを交換する。なお、ＬＣＤパネルユニット４０は古い機種の遊技盤４から取り外して、例えば機能検査を行った後に、新しい機種の遊技盤４のセンター役物３５の後方に組み付けられる。【選択図】        図４
2004187875.tif 000002
【特許請求の範囲】
【請求項１】
遊技を行う際に作動が行われる各種装置、及びこれら装置を遊技状態に基づいて制御する制御回路装置を備えた弾球遊技機において、
遊技者に遊技上の特典を付与させるための入賞口が少なくとも設けられた遊技盤と、所定の条件を満たした場合に図柄の変動表示させた後に図柄の停止表示を行わせる図柄表示装置とからなる遊技盤ユニットと、
前記遊技盤ユニットに設けられ、且つ前記各種装置又は制御回路装置の少なくとも一方を作動させるための記憶情報を記憶し得る情報記憶媒体とを有し、
前記制御回路装置及び各種装置が組み込まれた本体枠に前記遊技盤ユニットを着脱自在に組み付けることにより遊技機として機能させることを特徴とする弾球遊技機。
【請求項２】
前記図柄表示装置は、前記遊技盤に着脱自在に組み付けられることを特徴とする請求項１記載の弾球遊技機。
【請求項３】
前記遊技盤の前面には、遊技領域を規制する遊技領域規制枠と、前記遊技領域に向けて遊技媒体を導くための遊技媒体誘導部材とが一体に形成された遊技領域規制枠ユニットが着脱自在に組み込まれることを特徴とする請求項１又は２記載の弾球遊技機。
【請求項４】
前記遊技盤ユニットは、開口枠扉及び開口枠扉を回動自在に保持する保持枠からなる開閉枠ユニットを介して、前記本体枠に組み付けられることを特徴とする請求項１〜３いずれか記載の弾球遊技機。
【請求項５】
前記遊技盤ユニットは開口枠ユニットに対して着脱自在に組み付けられることを特徴とする請求項４記載の弾球遊技機。
【請求項６】
前記情報記憶媒体は、前記制御回路装置に接続させるための接続手段を有する収納部材に収納されており、前記遊技盤ユニットを構成する遊技盤、図柄表示装置又は遊技領域規制枠ユニットのいずれかへの組み付け時に封印処理が行われることを特徴とする請求項１〜５いずれか記載の弾球遊技機。
【発明の詳細な説明】
【０００１】
【発明の属する技術分野】
本発明は、パチンコ店等の遊技場に設置して使用されるパチンコ機等の弾球遊技機に関するものである。
【０００２】
【従来の技術】
遊技場に設置される弾球遊技機としてパチンコ機が挙げられる。このパチンコ機には本体枠内に遊技盤が配設されており、その遊技盤の前面には開閉自在な前面枠が設けられている。このようなパチンコ機では遊技場に設置されている状態で、且つ前面枠が閉じられているときには、何人もパチンコ機の内部の遊技盤や電子機器等には触れることができないようになっている。なお、遊技場の作業者がパチンコ機の内部に触れる必要があるときには、前面枠を開いて作業を行うことになる。
【０００３】
このようなパチンコ機は、新たな機種に切り替える場合、設置されていた古い機種と新たな機種とを機種ごとに全て入れ替えることが一般的である。しかし、パチンコ機を構成する部品には共通の部品を多く用いているため、交換する必要のない部品まで交換することにより、結果的にコストアップの原因となる。このため、共通の部品を備えた部分のみを遊技場に据え置きにし、新たに変更となる部分のみを入れ替えることが現在検討されている。この場合、交換部を、遊技盤、及び液晶表示装置であるＬＣＤパネルユニット及び複数の制御回路基板が組み付けられ、且つ遊技媒体案内部材を備え持つ球通路ユニットから構成された遊技盤ユニットから構成し、据え置き部を、本体枠と、この本体枠に組み付けられる、基本動作（パチンコ玉の打ち出しや入賞による払い出し）を行うための装置やスピーカー及びランプ等の演出装置から構成し、前記遊技盤ユニットのみを本体枠に対して交換することで新機種への交換が可能となる。
【０００４】
【発明が解決しようとする課題】
しかしながら、上記パチンコ機の場合、ゲームの基本動作を行うためのメインプログラムを保持した情報記憶媒体（ＲＯＭやＲＡＭ等）はＣＰＵによって制御される主制御回路基板（装置）に組み付けられるため、例えば機種交換をした場合には、遊技盤の他に主制御回路基板が組み込まれた球通路ユニットを交換する必要があり、効果的なコストダウンを行うことが難しい。また、ＬＣＤパネルユニットは球通路ユニットに組み込まれているため、遊技盤の種類によってはＬＣＤパネルユニットと遊技盤に設けられた開口部との位置関係がずれて組み付けられてしまうという問題がある。
【０００５】
本発明は、容易に新たな機種に変更する際に共通化する部品を多くすることで容易に機種交換が行え、且つコストダウンを効果的に行えるようにした弾球遊技機を提供することを目的とする。
【０００６】
【課題を解決するための手段】
上記目的を達成するために、本発明の弾球遊技機は、遊技を行う際に作動が行われる各種装置、及びこれら装置を遊技状態に基づいて制御する制御回路装置を備えたものであり、遊技者に遊技上の特典を付与させるための入賞口が少なくとも設けられた遊技盤と、所定の条件を満たした場合に図柄の変動表示させた後に図柄の停止表示を行わせる図柄表示装置とからなる遊技盤ユニットと、前記遊技盤ユニットに設けられ、且つ前記各種装置又は制御回路装置の少なくとも一方を作動させるための記憶情報を記憶し得る情報記憶媒体とを有し、前記制御回路装置及び各種装置が組み込まれた本体枠に前記遊技盤ユニットを着脱自在に組み付けることにより遊技機として機能させるものである。
【０００７】
また、前記図柄表示装置は、前記遊技盤に着脱自在に組み付けられることが好ましい。また、前記遊技盤の前面には、遊技領域を規制する遊技領域規制枠と、前記遊技領域に向けて遊技媒体を導くための遊技媒体誘導部材とが一体に形成された遊技領域規制枠ユニットが着脱自在に組み込まれることが好ましい。なお、遊技媒体とは、パチンコ球等が挙げられ、該パチンコ球を導くために遊技者の操作によって打ち出し強度の調整ができる発射装置を用いると好適である。
【０００８】
また、前記遊技盤ユニットは、開口枠扉及び開口枠扉を回動自在に保持する保持枠からなる開口枠ユニットを介して、前記本体枠に組み付けられることが好ましい。また、前記遊技盤ユニットは開口枠ユニットに対して着脱自在に組み付けられることが好ましい。
【０００９】
なお、前記情報記憶媒体は、前記制御回路装置に接続させるための接続手段を有する収納部材に収納されており、前記遊技盤ユニットを構成する遊技盤、図柄表示装置又は遊技領域規制枠ユニットのいずれかへの組み付け時に封印処理が行われることが好ましい。
【００１０】
【発明の実施の形態】
図１及び図２に示すように、パチンコ機２の本体枠３の内部には遊技盤４が配設されており、本体枠３の前面には前面枠５（開口枠扉）が開閉自在に設けられている。この前面枠５の中央には開口５ａが形成されており、この開口５ａは前面枠５の裏側に着脱自在に取り付けられるガラス枠６（図２参照）のガラス板７により遮蔽されている。また前面枠５の下方には、打球（遊技媒体）供給用の供給皿８及び遊技媒体となるパチンコ球の打ち出し強さを調節する操作ハンドル９が設けられている。遊技者が供給皿８にパチンコ球を投入すると、内部に設けられた通路によりパチンコ球は発射装置へと誘導される。そして、操作ハンドル９を操作して遊技盤４上にパチンコ球を打ち出す。なお、前面枠５が閉じているロック状態の場合には、遊技者や遊技場の作業者は、前面枠５の裏側に取り付けられたガラス板７を介して遊技盤４の遊技領域４ａを視認できると共に遊技領域４ａ上を流下していく打ち出されたパチンコ球を見ることはできるが、遊技盤４にはもちろんのこと、本体枠３の内部に備えられた電子機器にも触れることはできないようになっている。
【００１１】
このパチンコ機２は、図示しない発射装置や払い出し装置等の装置の他に、上述した前面枠５が開閉自在に組み付けられた本体枠３と、この本体枠３の空間部に組み込まれる遊技盤ユニット１５とから構成されている。なお、遊技盤ユニット１５は、遊技盤４、遊技領域規制枠ユニット１６及び制御回路ユニット１７（図３参照）から構成されており、遊技盤４は遊技領域規制枠ユニット１６と制御回路ユニット１７により挟持される構成となっている。
【００１２】
図３に示すように、遊技領域規制枠ユニット１６は、図示しない発射装置にて遊技領域４ａに向けて打ち出された遊技球をガイドするためのガイドレール２０と、遊技領域４ａを規制するためのレール飾り２１とが一体のユニットとして形成されている。この遊技領域規制枠ユニット１６の後面には、上端部及び下端部のそれぞれ２箇所計４箇所にボス２２が形成され、このボス２２にロック機構である回動自在な係止つまみ２３が取り付けられる（図３参照）。このボス２２は、遊技盤４に形成された開口４ｂに挿通されることにより、遊技領域規制枠ユニット１６と、遊技盤４とが位置決め係合される。なお、ロック機構の構造及び個数は遊技盤ユニットの構成等を考慮して、適宜設定することが可能である。
【００１３】
制御回路ユニット１７は、各入賞口及びアウト口に入った遊技球（パチンコ球）を所定の受け部に導く役割を持つようにした通路部材２５ｃを備えた支持部材となる球通路板２５、パチンコ機の電気的統制を行うための主制御回路基板２６及び副制御回路基板２７からなる制御回路装置（図４参照）等から構成され、本体枠３の空間に対して着脱自在に装着できる構造となっている。なお、各制御回路装置は、不正行為を防止するために専用の収納ケースに封印された後に球通路板２５の所定位置に組み付けられる。また、球通路板２５の上下４箇所には、ボス２５ａが形成されており、このボス２５ａには係止つまみ２３を挿通させるための開口２５ｂが形成されている。なお、ボス２５ａは遊技盤４に形成された開口４ｂに挿通されることにより、遊技盤４と制御回路ユニット１７とを所定位置に位置決め係合できるようになり、係止つまみ２３を回動させると、開口２５ｂに対して係止状態となり、遊技盤４が、遊技領域規制枠ユニット１６と制御回路ユニット１７とにより挟持された状態にて固定されるようになる。
【００１４】
遊技盤４の正面側には、図示しない障害釘が打ち付けられる他に、遊技媒体である遊技球を入賞させるための始動入賞口を有する役物３０、通常入賞口を有する役物３１及びアタッカ３２等の所定入賞口や、上記入賞口に入賞しなかった遊技球を所定の受け部に導くためのアウト口３３が配設されている。なお、これらの構造物は公知であるので説明は省略する。
【００１５】
図４に示すように、この遊技盤４には、センター役物３５が組み付けられている。このセンター役物３５の後面には図柄表示装置である液晶表示（ＬＣＤ）パネルユニット４０が着脱自在に組み付けられる。このＬＣＤパネルユニット４０は、ＬＣＤパネル４１と、制御回路基板４２とが一体に組み付けられ、収納ケース４３の内部に収納された構成となっている。この収納ケース４３の前面の上端部には、センター役物３５の本体枠３側後方の上端に形成された凸部３５ａを嵌め込むための嵌合部４３ａが設けられる。この収納ケース４３の前面の下端部には、センター役物３５の本体枠３側後方の下端に形成された凸部３５ｂと係合して固定される係止爪４３ｂが形成される。また、係止爪４３ｂの近傍には操作片４３ｃが設けられており、この操作片４３ｃを図中半時計方向に付勢することで、係止爪４３ｂと凸部３５ｂとの係合が解除されるようになっており、ＬＣＤパネルユニット４０がセンター役物３５に対して着脱自在な構造となっている。
【００１６】
また、遊技盤４の後面には、遊技を行う際に作動が行われる各種装置を制御するためのメインプログラムやＬＣＤパネルユニット４０における可変表示制御を行うための演出プログラム等が記憶されたプログラムＲＯＭ４７の他に、ＬＣＤパネルユニット４０で表示する画像データ、音声データ、メインプログラム等に基づいて行われる処理情報に応じて各種装置を作動させるデータ等が記憶されているデータＲＯＭ４８、メモリコントローラが組み付けられた回路基板４９が設けられている。この回路基板４９に対して連接させるためのコネクタ５０が設けられており、遊技盤ユニット１５を制御回路ユニット１７に対して取り付けた場合に、パチンコ機２の制御に係わる主要部を処理するＣＰＵを備えた主制御回路基板２６に対して接続するためのコネクタ５１が嵌め込まれ、主制御回路基板２６と回路基板４９とがケーブル５２、５３を介して電気的に接続される。また、主制御回路基板２６に対して接続するためのコネクタ５４がＬＣＤパネルユニット４０に対して接続するためのコネクタ５５に嵌め込まれ、ＬＣＤパネルユニット４０と主制御回路基板２６とがケーブル５６により電気的に接続される、なお、本実施形態では読み出し専用のメモリからなるＲＯＭを回路基板４９に組み付けたが、これに限定する必要はなく、所定記憶情報の書き換えが可能となるＲＡＭ（Ｒａｎｄｏｍ  Ａｃｃｅｓｓ  Ｍｅｍｏｒｙ）を組み付けてもよい。この場合、組み付け作業時にプログラムやデータ等を記憶させるようにしたり、機種替えの際に又は弾球遊技機の起動時にプログラムやデータをインストールするようにする。なお、インストールはパチンコ店等のホールコンピュータと接続させ、ホールコンピュータに記憶されたプログラムやデータを用いて行うようにすると好適である。
【００１７】
次に、このようにして構成されたパチンコ機の作用について説明する。まず、センター役物３５、各種入賞口を有する役物３０，３１及びアタッカ３２等の所定入賞口が組み付けられた遊技盤４の後面に、プログラムＲＯＭ４７及びデータＲＯＭ４８等にて構成された回路基板４９を組み付ける。また、センター役物３５の後面側にＬＣＤパネルユニット４０を組み付ける。この際、図５及び図６に示すように、ＬＣＤパネルユニット４０を構成する収納ケース４３に形成された嵌合部４３ａをセンター役物３５の本体枠３側後方の上部に形成された凸部３５ａに引っかけた後に、収納ケース４３に形成された係止爪４３ｂをセンター役物３５のの本体枠３側後方の下部に設けられた凸部３５ｂに係合させ固定する。これにより、ＬＣＤパネルユニット４０が遊技盤４内の所定位置に設けられたセンター役物３５の所定位置に組み付けられる。
【００１８】
このようにして、ＬＣＤパネルユニット４０及び回路基板４９が組み付けられた遊技盤４の前面側から遊技領域規制枠ユニット１６を組み付ける。この際、遊技領域規制枠ユニット１６に形成されたボス２２を遊技盤４に形成された開口４ｂに挿通する。その後、主制御回路基板２６から配線されるケーブル５２，５６の一端に設けられたコネクタ５１，５４を、回路基板４９から配線されるケーブル５３の一端に設けられたコネクタ５０、ＬＣＤパネルユニット４０に設けられるコネクタ５５にそれぞれ繋いだ後に、制御回路ユニット１７を遊技盤４の後方から組み付ける。この際、球通路板２５のボス２５ａに形成された開口２５ｂに遊技盤４に形成された開口４ｂに挿通させる。そして、開口２５ｂに対して抜き差し羽化となるように水平状態から垂直状態となるように係止つまみ２３を回転させることにより、遊技盤４が遊技領域規制枠ユニット１６と、制御回路ユニット１７とで挟持された状態に保持される。なお、このようにして組み立てられた遊技盤ユニット１５は、主制御回路基板２６と、本体枠３に組み付けられた払い出し装置、発射装置、スピーカ等の各種装置とを図示しないケーブル、コネクタ等を用いて電気的に接続した後に、本体枠３の所定位置に組み付けられる。なお、本体枠３の空間部に対し固定部材等を用いて着脱自在に装着可能な制御回路ユニット１７を予め本体枠３に組み付けて、所定の装置と制御回路装置との接続処理を行った後に遊技盤４と遊技領域規制枠ユニット１６から構成される遊技盤ユニットを本体和訓に組み付けるようにしてもよい。
【００１９】
また、パチンコ機２の機種替えの際には、まず、本体枠３から遊技盤ユニット１５を取り外す。この際、遊技盤ユニット１５と本体枠３の各種装置とを繋ぐケーブルを介して設けられるコネクタを外す。本体枠３から取り外された遊技盤ユニット１５は、係止つまみ２３を垂直状態から水平状態となるように回転させ解除した後に、遊技領域規制枠ユニット１６から制御回路ユニット１７、遊技盤４の順で取り外す。そして、センター役物３５に組み付けられたＬＣＤパネルユニット４０を取り外し、動作確認の検査を行った後で、該ＬＣＤパネルユニット４０が新しい機種の遊技盤４に組み付けられる。なお、ＬＣＤパネルユニット４０が取り外された遊技盤４は廃棄される。なお、新しい機種の遊技盤４に対して適宜に配設されたセンター役物に基づく取り付けピッチを同一にしておけば、ＬＣＤパネルユニット４０の収納ケース４３を交換せずにそのまま使用することも可能である。これにより、再利用される共通化させた部品が多くなるので効果的なコストダウンを行うことができるとともに、迅速な機種交換を行うことが可能となる。
【００２０】
本実施形態では、遊技盤ユニットを遊技領域規制枠ユニット、遊技盤及び制御回路ユニットから構成したが、これに限定する必要はなく、予めガイドレール及び所定の入賞口等が組み付けられた遊技盤と、遊技盤に組み付けられたセンター役物に対して着脱自在となるＬＣＤパネルユニットからなる遊技盤ユニットを構成してもよい。この場合、制御回路ユニットは予め本体枠に組み付けられるようにすることで、機種交換時には遊技盤のみの交換となり、迅速、且つ容易に機種交換を行うことが可能となる。また、遊技盤に対して著悪脱字材となるように遊技領域規制枠ユニットを設けた場合には、遊技盤及びＬＣＤパネルユニットからなる遊技盤ユニット、遊技領域規制枠ユニットの順で本体枠側へと組み付け、所定のロック機構等により保持するようにしてもよい。
【００２１】
本実施形態では、遊技盤に対して直接的にプログラムＲＯＭ及びデータＲＯＭを組み付けた回路基板を具備したが、これに限定する必要はなく、遊技盤に対して取り付けられる所定部材、例えばＬＣＤパネルが組み付けられた回路基板に上記ＲＯＭを具備せしめることも可能である。この場合、図７に示すように、ＬＣＤパネルユニット６０を構成する制御回路基板６１上にプログラムＲＯＭ６２又はデータＲＯＭ６３の少なくともいずれか一方を組み付ける。このＬＣＤパネルユニット６０が組み付けられた遊技盤６４を使用したパチンコ機の機種替え時には、遊技盤６４のみの交換で所定データ情報の交換も済むので、迅速に機種交換を行うことができる。また、この場合、ＬＣＤパネルユニット６０の制御回路基板６１と制御回路ユニット６６の主制御回路基板６７との電気的接続はケーブル６８を介したコネクタ接続だけで済み、効果的にコストダウンを行うことが可能である。なお、符号６９は、センター役物である。
【００２２】
本実施形態では、遊技盤に大使プログラム等の情報を記憶させたプログラムＲＯＭ、データＲＯＭ及びメモリコントローラが組み込まれた回路装置を組み込んだが、これに限定する必要はなく、プログラムＲＯＭ、データＲＯＭ及びメモリコントローラの他に、ＣＰＵにて前記プログラム等の情報に基づいて制御させる制御装置や、前記プログラム等の記憶情報を情報記録媒体に書き込むための回路が組み込まれ、転送された所定情報を記憶させる制御基板を遊技盤に組み付けるようにしてもよい。
【００２３】
本実施形態では、遊技盤に取り付けるプログラムＲＯＭ及びデータＲＯＭを回路基板を介して組み付けるようにしたが、これに限定する必要はなく、例えばＲＯＭカセットのように、上記ＲＯＭを収納部材に収納した後に遊技盤に組み付けるようにしてもよい。図８に示すように、例えばプログラムＲＯＭ及びデータＲＯＭを収納したＲＯＭカセット７０に封印処理を行うための例えば係止爪７０ａを設ける。このＲＯＭカセット７０を例えば遊技盤等に取り付けられた支持体７１の収納部７１ａに形成された開口７１ｂに取り付ける。この際、ＲＯＭカセット７０の係止爪７０ａが撓んで支持体７１の開口７１ｂ近傍の収納部側壁面に係合し、ＲＯＭカセット７０を所定位置に保持する。なお、ＲＯＭカセット７０の一端側には接続端子部（コネクタ）７４が形成されており、本体ｗかうがｗない設けられた主制御回路基板７２のコネクタ７３と接続される。なお、このＲＯＭカセット７０の取り外しは、接続端子部側７４を挟持して抜くしかないが、このＲＯＭカセット７０を抜くと、係止爪７０ａが壊れるようになっている。これにより、ＲＯＭカセット７０の不正な付け替え等を防止することができる。なお、このＲＯＭカセット７０は、前記支持体を介さずとも、遊技盤、ＬＣＤパネルユニット、開口枠ユニットに取り付けることができる。
【００２４】
なお、本発明は、図９に示すように、着脱自在としたガラス枠６を備え持つ開口枠扉８３、及び開口枠扉８３を回動自在に保持する保持枠８４とからなる開口枠ユニット８０の取り付け空間部８５を介して遊技盤ユニット８１を着脱自在に組み付け可能とさせ、該開口枠ユニット８０を本体枠８２の取り付け空間部８６を介して着脱自在に組み付ける構成からなる弾球遊技機とし、遊技を行う際に作動が行われる各種装置を設けた本体枠８２に大使取り付けられた開口枠ユニット８０に、前記装置を遊技状態に基づいて制御する制御回路装置を設けて接続処理をし、少なくとも遊技盤に対して図柄表示装置と、所定制御に係わる記憶情報の媒体を設けた遊技盤ユニット８１を着脱自在に取り付けるようにしてもよい。
【００２５】
【発明の効果】
以上のように、本発明の弾球遊技機によれば、遊技者に遊技上の特典を付与させるための入賞口が少なくとも設けられた遊技盤と、所定の条件を満たした場合に図柄の変動表示させた後に図柄の停止表示を行わせる図柄表示装置とからなる遊技盤ユニットと、前記遊技盤ユニットに設けられ、且つ前記各種装置又は制御回路装置の少なくとも一方を作動させるための記憶情報を記憶し得る情報記憶媒体とを有し、前記制御回路装置及び各種装置が組み込まれた本体枠に前記遊技盤ユニットを組み付けることにより遊技機として機能させるので、遊技盤を変える目的を満たすだけで容易に遊技盤の構成及び制御される遊技性の異なる新規の機種替えを行うことができ、コストダウンを効率よく行うことができる。
【図面の簡単な説明】
【図１】本発明を実施したパチンコ機の外観を示す斜視図である。
【図２】本体枠と遊技盤ユニットとを分解して示す斜視図である。
【図３】遊技盤ユニットの構成を分解して示す斜視図である。
【図４】遊技盤と制御回路ユニットとの構成の概略を示す断面図である。
【図５】遊技盤とＬＣＤパネルユニットとを分解して示す断面図である。
【図６】遊技盤にＬＣＤパネルユニットを組み付ける状態を示す断面図である。
【図７】ＬＣＤパネルユニットにＲＯＭを実装した場合の実施形態を示す断面図である。
【図８】ＲＯＭカセットを用いた場合の実施形態を示す断面図である。
【図９】遊技盤ユニットをガラス枠ユニットを介して本体枠に組み付ける場合のパチンコ機の構成を分解して示す斜視図である。
【符号の説明】
２  パチンコ機
３  本体枠
４  遊技盤
５  前面枠
１６  遊技領域規制枠ユニット
１７  制御回路ユニット
２６  主制御回路基板
３５  センター役物
４０  ＬＣＤパネルユニット
４１  ＬＣＤパネル
４７  プログラムＲＯＭ
４８  データＲＯＭ
４９  回路基板
【図１】
2004187875.tif 000003
【図２】
2004187875.tif 000004
【図３】
2004187875.tif 000005
【図４】
2004187875.tif 000006
【図５】
2004187875.tif 000007
【図６】
2004187875.tif 000008
【図７】
2004187875.tif 000009
【図８】
2004187875.tif 000010
【図９】
2004187875.tif 000011